(57)【特許請求の範囲】
【請求項１】
マルチバンド無線基地局装置の無線信号の受信部からの指示を受ける制御部と，受信部からの主信号が入力されて，呼処理部とユニット当たりで複数チャネル分のパス検出を行う複数ユニットのパス検出部と複数チャネル分の逆拡散処理を行う複数ユニットの逆拡散処理部とを備える復調部の負荷分散方式において，
前記呼処理部にパス検出部の各ユニットの現在の処理負荷率を保持するユニット別処理負荷率保持部と処理負荷率更新部を備える処理負荷監視部を設け，
前記受信部からの新たな信号の受信オン指示の発生に対して，前記処理負荷監視部のユニット別処理負荷率保持部を参照して，最小処理負荷率のユニットを判別して，前記新たな信号を前記判別したユニットのパス検出部に割り当て，前記処理負荷率更新部は前記割り当てた新たな信号の処理により前記ユニット別処理負荷率保持部を更新し，
前記制御部は，前記受信部からの受信オンの指示を受け取ると，当該受信部内部の判断で決定したチャネルを含む受信オンの指示を前記復調部に対して出力する受信指示部を備え，
前記復調部の呼処理部は，制御部からの前記チャネルを含む受信オンの指示を受けると，前記ユニット別処理負荷率保持部を参照して最小処理負荷率のユニットを判別し，判別した最小処理負荷率のユニットのチャネルを前記制御部から指示されたチャネルの代わりに選択して割り当て，前記処理負荷率更新部により前記ユニット別処理負荷率保持部を更新することを特徴とする復調部の負荷分散方式。
【発明の詳細な説明】
【技術分野】
【０００１】
本発明は，マルチバンド無線基地局装置（ＢＴＳ：Base Transceiver Station) 搭載のベースバンドカード内の復調部の負荷分散方式に関する。
【０００２】
近年，マルチバンド無線基地局機能を搭載した無線基地局装置は，収容するチャネル数（ユーザ（ＵＥ：User Equipment）数) の大容量化が進み，それに伴ってベースバンドカード１枚あたりに収容するチャネル（ｃｈ) 数も，ベースバンドカードの大容量化のステップ毎に１６チャネル，６４チャネル，１９２チャネルというように，増加している。またそれに伴って，１チャネル当たりで必要な装置（カード）のコストもどんどん下がってきており，製品を安価に製造できることが期待されている。しかし，大容量化に伴い，１カード当たりで処理するチャネル数も増えているため，１カード及びカード内の各処理ブロック（処理ユニット）での処理量（処理時間）も比例して増加している。逆にいうと１チャネル当たりにかかる処理量（処理時間）も増加しており，処理量（処理時間）の削減が要求されている。
【背景技術】
【０００３】
図８は従来のマルチバンド無線基地局装置を構成するベースバンド（ＢＢ）カードのＤＥＭ部（Demodulation: 復調部）のブロック構成を示す。図中，５０はＤＥＭ部の上位に設けられ，ＣＤＭＡ（Code Division Multiple Access)方式に対応する無線信号を受信して処理する回路（図示省略）からのチャネル数を含む受信オン指示を受け取ってＤＥＭ部に対して制御信号を出力するＭＰＵ（Micro Processor Unit) ，５１は基地局に設けたアンテナを中心として周囲を一定の角度の範囲毎に区切った場合の各方路（セルと同じ）からのＣＤＭＡによる無線信号を受信処理した信号が入力される主信号ライン，５２はＤＥＭ部，５３はＤＥＭ部全体のインタフェース機能を備え，ＭＰＵ５０からの指示により各チャネル（ユーザ対応）の信号処理をどのパス検出部のユニットに割り当てるかの制御を行う呼処理部である。
【０００４】
５４（♯１〜♯３の３つのユニットにより構成）は呼処理部５３の制御により主信号ライン５１の各セルの信号の中から指定されたセルの信号分布（距離に対応したユーザからの信号波の電力分布）を主信号ライン５１の主信号から検出するパス検出部であり，１ユニット当たり６４ｃｈ（チャネル）分のパスを検出する機構を備えている。５５（♯１〜♯３の３つのユニットにより構成）は対応するパス検出部５４のユニットで指定されたチャネルの中から検出した高い電力信号が検出された距離の情報を受け取って，主信号からＣＤＭＡの符号を復号する逆拡散処理部であり，１ユニット当たり６４チャネル分の信号の処理を行うことができる。この構成により，ベースバンドカード１枚で，６４ｃｈ×３ユニット＝１９２ｃｈ分の処理が可能である。なお，逆拡散処理部５５で求めた符号は図示省略された後段のＣＯＤＥＣ（復号器）に供給され，各チャネルを音声に復調するために使用される。
【０００５】
図８において，運用時にはＤＥＭ部５２は上位に位置するＭＰＵ５０により，受信が開始されて受信オンの状態になったチャネルを，３つのユニットからなるパス検出部５４の中のどのユニットに割り当てるかを判別して呼処理部５３を介して一つのパス検出部５４を制御する。この時，ＭＰＵ５０は，受信オンするチャネルがパス検出部５４（及び逆拡散処理部５５）の一部のユニットに集中せず，各ユニットで処理負荷が分散するように，均等にチャネルを割り当てる。
【０００６】
図９は３つのユニットへのチャネルの割り当ての例を示す。Ａ．はパス検出部５４（逆拡散処理部５５）の３つのユニット（Unit) ♯１〜♯３が，全オフの状態（受信オンのチャネルが一つも割り当てられてない状態）の時，上位から１０ｃｈ分をオンにしなさい, と指示された場合の例である。この場合，ＭＰＵは各ユニットの処理が均等になるように，現在の受信オンｃｈ数を管理し，Ａ．に示すように，ユニット♯１，ユニット♯２，ユニット♯３の順に受信オンｃｈを割り振って設定する。
【０００７】
図９のＢ．は，現在ｃｈ１，ｃｈ６５〜６８，ｃｈ１２９が受信オンにされた状態のカードに，追加で４ｃｈ分の受信オンを指示された例である。この場合も，ＭＰＵは現在の各ユニットの受信オン状態を管理し，追加でユニット♯１のｃｈ２をオンし，次にユニット♯３のｃｈ１３０をオンにし，次にユニット♯１のｃｈ３をオンにし，４つ目はユニット♯３のｃｈ１３１をオンにする。これにより各ユニットは均等な負荷状態となる。
【０００８】
このようにＭＰＵによる負荷分散処理が実行され，ある１つのユニットだけに受信オンｃｈが集中し負荷が偏ることはなくなる。
【０００９】
従来のＣＤＭＡ移動通信受信方式におけるマルチパスは，比較的狭い範囲で出現し，かなり頻繁に発生するが，その範囲は急激に変化せず，狭い範囲のサーチが必要である。その一方で，移動局がビルの影等に入ることにより急激な受信状態の変化が発生するため，新たなパスが出現する位置が分からないため常にセル半径全てをサーチする必要がある。これらの２種類のマルチパスの特徴に合わせて，複数のサーチャ群の中から各ユーザ対応にサーチ範囲の狭いサーチャとサーチ範囲の広いサーチャの２種類のサーチャを設定して精度が高く，効率的なサーチを行うための方法が提案されている（特許文献１参照）。
【００１０】
その提案された方法は，複数のサーチャ群の中からマルチパスの状態に応じて，各ユーザ対応にセル半径全体をサーチするサーチ範囲の広い一つのセルサーチャと，複数のマルチパスのそれぞれをサーチするサーチ範囲の狭い一つ以上のデレイスプレッドサーチャを割り付けるよう構成したものである。
【特許文献１】特開２００１−９４４７３号公報
【発明の開示】
【発明が解決しようとする課題】
【００１１】
従来のＭＰＵによる負荷分散処理によって，ある１つのユニットだけに受信オンｃｈが集中し負荷が偏ることはなくなる。しかし，実際のパス検出部の負荷は，受信オンｃｈ数のみによって左右されるわけではなく，他のパラメータにも依存する構成をとっていた。図１０にパス検出部の１０ｍｓ当たりの処理可能量を示す。すなわち，(1) 項の場合，セル半径（無線基地局を中心とする円の半径）が５ｋｍの場合，並列処理可能セル数は２セルで，並列処理可能なチャネル数は４チャネルであり，…，(4) 項の場合，セル半径が６０ｋｍ，並列処理可能セル数が１セル，並列処理可能チャネル数が１チャネルである。また，図１１に１０ｍｓ当たりの同時処理イメージの例を示す。
【００１２】
図１１の(a) は上記図１０の(2) 項をイメージ化したもので１０ｍｓにセル半径１０ｋｍで受信方路が２セルで，２ｃｈを同時に処理完了できることを示し，(b) は，図１０の(4) 項をイメージ化したもので，１０ｍｓ中にセル半径６０ｋｍのｃｈなら１ｃｈで受信方路１セルしか処理できないことを示している。すなわち，セル半径が大きい場合は，その距離内のパス検出処理を実行するための情報量も半径に比例して増加するため，同時処理できるｃｈ数が減る。
【００１３】
図１０及び図１１に示すように，パス検出部の処理は受信オンｃｈ数だけではなく，セル半径，受信オンｃｈのセル数（受信オンｃｈがパス検出処理を実行する対象の受信方路数）も要因となる。ここで，ユニット♯１〜♯３のそれぞれに３２ｃｈずつ受信オン設定がされていたとする。
【００１４】
更に，極端な例として，ユニット♯１とユニット♯２は，セル半径１０ｋｍ，受信方路数２セル，のｃｈだけが集中して３２ｃｈオンしていたとし，ユニット♯３は，セル半径６０ｋｍ，受信方路数２セルのｃｈだけが３２ｃｈオンしていたとする。この場合，ユニット♯１とユニット♯２は，図１０から１０ｍｓあたり２ｃｈ／２セル処理できるので，３２ｃｈ分の処理をするには，次のような処理時間を要する。
【００１５】
１０(ms)×３２(ch)÷２（パラレル処理）＝１６０(ms)
全ｃｈの処理が一巡できるが，ユニット♯３は１０ｍｓ当たり１ｃｈ／１セルしか処理できないので，次のように３２の全ｃｈの処理が一巡するのに，多大な時間がかかる。
【００１６】
１０(ms)×３２(ch)×２（シリアル処理）＝６４０(ms)
図１２は処理時間のタイムチャートを示し，Ａ．は１０ｋｍ２セルだけ３２チャネル受信オンされていた場合で，Ｂ．は６０ｋｍ２セルだけ３２チャネル受信オンされた場合である。
【００１７】
このように，同じチャネル数が受信オンされていたとしても，処理負荷が偏ってしまうと処理時間が倍以上違ってしまうという問題があった。
【００１８】
上記特許文献１の方法によれば，効率的なサーチを行うことを目的とするものであり，ＤＥＭ部内の呼処理を行うユニットへの負荷分散を行うという目的を実現することはできない。
【００１９】
本発明はマルチバンド無線基地局を構成するベースバンドカードの復調部（ＤＥＭ部）内の呼処理を行う複数ユニットへの処理負荷が均等になるよう分散できる復調部の負荷分散方式を提供することを目的とする。
【課題を解決するための手段】
【００２０】
本発明は復調部の呼処理部に処理負荷監視部を設け，その中に現在受信オンのチャネルの設定パラメータ（チャネルに対応して異なる値の処理時間）に基づいた各ユニットの処理負荷率を計算し，計算結果をユニット別処理負荷率保持部に保持して，新たな受信オンのチャネルをユニットに割り振る際に，そのユニット別処理負荷率保持部を参照して負荷率が低いユニットに割り当てることを原理とする。
【００２１】
図１は本発明の第１の原理構成を示す図である。図１において，１は制御部，１０は受信オンの指示を受けてユニットを選択してチャネルを割り当てるユニット選択指示部，１０ａは復調部２の呼処理部２０に設けられたユニット別処理負荷率保持部２００ｂの内容を参照するユニット別処理負荷率参照手段，１０ｂはユニット選択手段，２は復調部（ＤＥＭ），２０は呼処理部，２００は処理負荷監視部，２００ａは処理負荷率更新部，２００ｂはユニット別処理負荷率保持部であり，ユニット別処理負荷率は，例えば，各ユニット別にユニット内で現在受信処理中のチャネル全てのパス検出が一巡するのに要する時間（受信チャネルのパラメータ（セル半径を含む）に応じて異なる）を計算した値を用いる。２１は複数ユニット（２１−１〜２１−ｎ）を備えるパス検出部，２２は複数ユニット（２２−１〜２２−ｎ）を備える逆拡散処理部，３は主信号ラインである。
【００２２】
無線処理を行うカード（図示省略）から，受信オンの指示が制御部１に与えられると，ユニット選択指示部１０が起動し，ユニット別処理負荷率参照手段１０ａが復調部２の呼処理部２０に備えられたユニット別処理負荷率保持部２００ｂのデータを取得し，次にユニット選択手段１０ｂは取得した各ユニット別の処理負荷率の中から最も処理負荷率が低い一つのユニットを選択してチャネルを割り当てる。選択されたユニットのチャネルの受信オンをパラメータ（セル半径等）と共に復調部２の呼処理部２０に供給する。呼処理部２０では制御部１から指示されたユニットのパス検出部２１に対しチャネル及びパラメータを含めた受信指示を供給し，処理負荷監視部２００に対して制御部１から指示された内容を入力する。処理負荷監視部２００では，処理負荷率更新部２００ａが，制御部１から指示されたユニットで指示されたパラメータのチャネルの受信を行うことによりユニット別処理負荷率保持部２００ｂに保持された該当するユニットの処理負荷率を計算し，計算した結果をユニット別処理負荷率保持部２００ｂに格納して保持する。なお，選択されたユニットのパス検出部２１では，割り当てられたチャネルにより主信号ライン３の主信号からパス検出を行い，検出した情報を元にパス検出部２１のユニットに対応する逆拡散処理部２２のユニットで逆拡散処理を実施する。
【００２３】
図２は本発明の第２の原理構成を示す図である。図２において，１，２，２０，２１，２２は上記図１と同様であり，１は制御部，２は復調部（ＤＥＭ），２０は呼処理部，２１（２１−１〜２１−ｎ）はパス検出部，２２（２２−１〜２２−ｎ）は逆拡散処理部である。制御部１内の１１はチャネルを順番にユニットに指定して呼処理部に受信指示を与える受信指示部である。呼処理部２０内の２００，２００ａ，２００ｂは図１と同様であり，説明を省略する。２０１は本発明の第２の原理構成により設けられたユニット選択チャネル指示部，２０１ａは処理負荷監視部２００のユニット別処理負荷率保持部２００ｂを参照して，最小の処理負荷率のユニットを判別する最小処理負荷率ユニット判別手段，２０１ｂは制御部１から指示された受信チャネルを選択したユニットに割当てるユニット割当手段である。
【００２４】
無線処理を行うカード（図示省略）から，受信オンの指示が制御部１に与えられると，制御部１の受信指示部１１は従来と同様にユニットに対して順番にチャネルを選択して復調部２の呼処理部２０に受信信号のパラメータを含め選択したチャネルと共に受信オンを指示する。復調部２の呼処理部２０ではユニット選択チャネル指示部２０１が起動する。ユニット選択チャネル指示部２０１では，最小処理負荷率ユニット判別手段２０１ａでユニット別処理負荷率保持部２００ｂを参照して，処理負荷率が最小の一つのユニットを判別し，ユニット割当手段２０１ｂに通知する。ユニット割当手段２０１ｂは通知されたユニットに対しチャネルを割当てるが，制御部１から指示されたチャネルと同じユニットのチャネルであれば変更せず指示されたチャネルを割当て，異なる場合にはその選択されたチャネルに変更して割当て，処理負荷監視部２００に対して制御部１から受けたパラメータと共に割当てたチャネルを入力する。処理負荷監視部２００では，処理負荷率更新部２００ａが，制御部１から指示されたユニットで指示されたパラメータのチャネルの受信を行うことによりユニット別処理負荷率保持部２００ｂに保持された該当するユニットの処理負荷率を計算し，計算した結果をユニット別処理負荷率保持部２００ｂに格納して保持する。
【発明の効果】
【００２５】
本発明によれば，各ユニット別の実質の処理負荷の程度であるユニット別処理負荷率を用いて最も処理負荷が小さいユニットを選択してチャネルを割当てることができ，特定ユニットへ負荷が集中することを防止することができ，パス検出にかかる時間を短縮することができる。
【発明を実施するための最良の形態】
【００２６】
図３は実施例１の構成を示す。この実施例１は上記図１に示す本発明の第１の原理構成に対応する。図中，１は制御部，２はＤＥＭ部（図１，図２の復調部２と同じ），制御部１内の１２はメモリを含みマイクロプログラムによる処理を行うＭＰＵ（Micro Processor Unit) ，ＤＥＭ部２内の２０は呼処理部，２１（２１−１〜２１−３の３ユニットから成る）は割り当てられたチャネルにより主信号ライン３の主信号についてパス検出（拡散符号の検出）の処理を行うパス検出部であり，パス検出部２１−１のユニットはチャネル１〜チャネル６４の範囲の処理が可能で，パス検出部２１−２のユニットはチャネル６５〜チャネル１２８の範囲の処理が可能で，パス検出部２１−３のユニットはチャネル１２９〜１９２の範囲の処理が可能である。２２（２２−１〜２２−３の３ユニットから成る）はパス検出部２１の検出結果を受け取った拡散符号を用いて主信号に対して逆拡散処理を行う逆拡散処理部であり，各ユニット２２−１，２２−２，２２−３はそれぞれ対応するパス検出部２１の各ユニット２１−１，２１−２，２１−３と同様にそれぞれ６４チャネルの処理が可能である。３は主信号ラインである。
【００２７】
呼処理部２０内の２０ａはＣＰＵ，２０ｂはプログラムや固定データを格納したＲＯＭ，２０ｃはＲＡＭ，２０ｄはＲＡＭ２０ｃ内に設けたユニット別の処理負荷率を格納した処理負荷率レジスタ（図１，図２のユニット別処理負荷率保持部２００ｂに対応），２０ｅ，２０ｆはそれぞれ制御部１及び各パス検出部２１とのインタフェースである。
【００２８】
図４は実施例１におけるＭＰＵの処理フローであり，図３の構成における制御部１内のＭＰＵ１２において実行される。
【００２９】
開始すると，上位装置（無線信号の処理を行う装置）より受信オンの指示を受け取ったか判別し（図４のＳ１），受け取った場合は，ＤＥＭ部２内の処理負荷率レジスタ２０ｄを参照し，各ユニットの処理負荷率（時間）を取得する（同Ｓ２）。なお，処理負荷率レジスタ２０ｄに格納された処理負荷率は後述するが，各ユニットにおける現在受信オンの割り当てがされたチャネル（そのチャネルのパラメータにより処理時間が異なる）を全て処理する時間を計算した値が格納されている。
【００３０】
次に処理負荷率（時間）の一番小さいユニット（パス検出部のユニット）を選択し，そのユニットに上位装置から受信オンを指示されたチャネルを割り当て（図４のＳ３），ＤＥＭ部２の呼処理部２０に対して，選択チャネル（チャネル番号）の受信オン設定を通知する（同Ｓ４）。この通知を受けたＤＥＭ部２では処理負荷監視の処理フロー（後述する図７参照）を実行し，負荷率を更新する（同Ｓ５）。
【００３１】
なお，処理負荷率レジスタに格納された各ユニット別の処理負荷時間として，ユニット１が１００ｍｓ，ユニット２が１５０ｍｓ，ユニット３が１５０ｍｓであった場合，上位装置からＭＰＵに対して，１チャネルの受信オンの指示が来た場合，受信オンチャネル数によらず，処理負荷率の一番低いユニット１のパス検出部２１に対して受信オンチャネルを割り当てる処理が行われる。これにより，処理負荷分散が実現され，カードとして処理時間を短縮することができる。
【００３２】
図５は実施例２の構成を示す。この実施例２は上記図２に示す本発明の第２の原理構成に対応する。図中の１，１０ａ，２，２０，２１，２２，３の各符号は上記図３に示す実施例１の構成中の各符号と同じであり説明を省略する。
【００３３】
図６は実施例２における呼処理部の処理フローであり，図５の構成における呼処理部２０内のＣＰＵ２０ａにおいて実行される。なお，この実施例２では図５の制御部１のＭＰＵ１２が上位装置から１チャネル分の受信オンの指示を受け取ると，順番にユニットを割り当てる。図５の例では，ＭＰＵ１２からチャネルとして「１９２」が指定されて受信オン要求が発生している。
【００３４】
呼処理部２０のＣＰＵ２０ａでは，ＭＰＵからのチャネル（ｘチャネル）を指定した受信オン指示が発生したか判別し（図６のＳ１），受信オン指示が発生したと判別されると，呼処理部内の処理負荷率レジスタ２０ｄを参照し，各ユニットの処理負荷率（時間）を取得する（同Ｓ２）。次に取得した各ユニットの処理負荷率の中から，ＭＰＵから指定されたｘチャネル（図５の例では，ｘ＝１９２）を処理するユニットの処理負荷率は１番低いか判別する（図６のＳ３）。１番低くない場合は，処理負荷率（時間）の一番小さいユニットを選択し（図６のＳ４），該当ユニットの空きチャネル（ｙとする）を選択し，指示チャネル（＝ｘ）と選択チャネル（＝ｙ）の変換処理，chｘ→ｃｈｙを実施する（同Ｓ５）。図５の例では，処理負荷率が一番小さいユニットがユニット２１−１でその中の空きチャネルが６４チャネルである場合である。この場合，ｘ＝１９２→ｙ＝６４チャネルの変換処理が行われる。
【００３５】
ステップＳ３において該当ユニット（ＭＰＵが指示したユニット）の処理負荷率が１番低い場合は，ＭＰＵから指示されたチャネル（該当するパス検出部のユニットのチャネル）に対し受信オンを設定する（図６のＳ６）。上記ステップＳ５及びＳ６の処理に続いて，ＤＥＭ部の処理負荷率レジスタ（図５の２０ｄ）ＤＥＭ部２では処理負荷監視の処理フロー（後述する図７参照）を実行し，負荷率を更新する（図６のＳ７）。
【００３６】
なお，図５の例ではＭＰＵ１２から１９２チャネルを指定した受信オンの要求が入力されたのに対し，処理負荷率レジスタに格納された各ユニット別の処理負荷時間として，ユニット１が１００ｍｓ，ユニット２が１５０ｍｓ，ユニット３が１５０ｍｓである場合，呼処理部２０ではユニット１が最小負荷率であるため，ユニット１が選択され，ユニット１内の空きチャネルがチャネル６４であった場合，チャネル６４が受信オンに割り当てられる。この時，ＭＰＵへの報告のため，逆変換処理を行う。すなわち，割り当てられたチャネル番号であるチャネル６４をＭＰＵから指定されたチャネル１９２に逆変換して，チャネル１９２としてＭＰＵに結果報告をする。これにより，ＭＰＵからは元々要求したチャネル（１９２チャネル）で動いているように見えるが，ＤＥＭ部（パス検出部）としては，処理負荷の軽いユニットで処理されることになる。
【００３７】
図７は処理負荷監視の処理フローである。この処理は，上記図４のステップＳ５及び図６のステップＳ７において実行される。ＭＰＵより呼設定があるか判別し（図７のＳ１），ある場合は設定ユニット（チャネル）番号，セル半径のパラメータを取得し（同Ｓ２），各ユニットの現在の処理負荷率（時間）を参照する（同Ｓ３）。この場合，ユニット別処理負荷率レジスタを参照するものである。次に，取得パラメータと表（図１０に示すパス検出部の１０ｍｓ当りの処理可能量）から，呼処理設定後の各ユニットの処理負荷率（時間）を計算し（図７のＳ４），処理負荷率レジスタに格納して保存する（同Ｓ５）。
【００３８】
（付記１）  マルチバンド無線基地局装置の無線信号の受信部からの指示を受ける制御部と，受信部からの主信号が入力されて，呼処理部とユニット当たりで複数チャネル分のパス検出を行うパス検出部と複数チャネル分の逆拡散処理を行う逆拡散処理部とをそれぞれ複数ユニット備える復調部の負荷分散方式において，前記呼処理部にパス検出部の各ユニットの現在の処理負荷率を保持するユニット別処理負荷率保持部と処理負荷率更新部を備える処理負荷監視部を設け，前記受信部からの信号受信オン指示の発生に対して，前記処理負荷監視部のユニット別処理負荷率保持部を参照して，最小処理負荷率のユニットを判別して，前記新たな信号を前記判別したユニットのパス検出部に割り当て，前記処理負荷率更新部は前記割り当てた新たな信号の処理により前記ユニット別処理負荷率保持部を更新することを特徴とする復調部の負荷分散方式。
【００３９】
（付記２）  付記１において，前記制御部は，前記受信部からの受信オンの指示を受け取ると，前記復調部のユニット別処理負荷率保持部を参照し，参照したユニット別処理負荷率の中から最小処理負荷率のユニットを選択するユニット選択指示部を備え，選択されたユニットを前記復調部の呼処理部に前記受信オンとなる信号のパラメータと共に指示し，前記呼処理部は前記制御部から指示されたユニットのパス検出部のチャネルを割り当てることを特徴とする復調部の負荷分散方式。
【００４０】
（付記３）  付記１において，前記制御部は，前記受信部からの受信オンの指示を受け取ると，当該受信部内部の判断で決定したチャネルを含む受信オンの指示を前記復調部に対して出力する受信指示部を備え，前記復調部の呼処理部は，制御部からの前記チャネルを含む受信オンの指示を受けると，前記ユニット別処理負荷率保持部を参照して最小処理負荷率のユニットを判別し，判別した最小処理負荷率のユニットのチャネルを前記制御部から指示されたチャネルの代わりに選択して割り当て，前記処理負荷率更新部により前記ユニット別処理負荷率保持部を更新することを特徴とする復調部の負荷分散方式。
【００４１】
（付記４）  付記２または３の何れかにおいて，前記呼処理部の処理負荷監視部の前記処理負荷率更新部は，パス検出部の各ユニットに対して設定したパラメータ情報から，現在の各ユニットの負荷率を計算して前記ユニット別処理負荷率保持部に格納することを特徴とする復調部の負荷分散方式。
【００４２】
（付記５）  付記３において，前記復調部の呼処理部は，前記制御部に対して前記割り当てられたチャネルではなく前記制御部が指定したチャネルを割当てられたチャネルとして応答することを特徴とする復調部の負荷分散方式。
【００４３】
（付記６）  付記１乃至５の何れか一つにおいて，前記ユニット別処理負荷率保持部は，各ユニット別に現在のパス検出処理を実行中の全チャネルの処理を完了するのに要する時間を設定することを特徴とする復調部の負荷分散方式。
【図面の簡単な説明】
【００４４】
【図１】本発明の第１の原理構成を示す図である。
【図２】本発明の第２の原理構成を示す図である。
【図３】実施例１の構成を示す図である。
【図４】実施例１におけるＭＰＵの処理フローを示す図である。
【図５】実施例２の構成を示す図である。
【図６】実施例２における呼処理部の処理フローを示す図である。
【図７】処理負荷監視の処理フローを示す図である。
【図８】従来のマルチバンド無線基地局装置を構成するベースバンドカードのＤＥＭ部のブロック構成を示す。
【図９】３つのユニットへのチャネルの割り当ての例を示す図である。
【図１０】パス検出部の１０ｍｓ当たりの処理可能量を示す図である。
【図１１】１０ｍｓ当たりの同時処理イメージの例を示す図である。
【図１２】パス検出の処理時間のタイムチャートを示す図である。
【符号の説明】
【００４５】
１          制御部
１０        ユニット選択指示部
１０ａ      ユニット別処理負荷率参照手段
１０ｂ      ユニット選択手段
２          復調部（ＤＥＭ）
２０        呼処理部
２００      処理負荷監視部
２００ａ    処理負荷率更新部
２００ｂ    ユニット別処理負荷率保持部
２１−１〜２１−ｎ  パス検出部
２２−１〜２２−ｎ  逆拡散処理部
【図１】
0004772597.tif 000002
【図２】
0004772597.tif 000003
【図３】
0004772597.tif 000004
【図４】
0004772597.tif 000005
【図５】
0004772597.tif 000006
【図６】
0004772597.tif 000007
【図７】
0004772597.tif 000008
【図８】
0004772597.tif 000009
【図９】
0004772597.tif 000010
【図１０】
0004772597.tif 000011
【図１１】
0004772597.tif 000012
【図１２】
0004772597.tif 000013